(57)【要約】【課題】受信したｓＹＣＣ色空間によるＪＰＥＧ符号化ファイルをプリントする場合、そのプリント方法の規定はないため、実際にどのようにプリントを行うかについては不定であった。【解決手段】予め、ｓＹＣＣ色空間上のＪＰＥＧ符号化ファイルについての記録サイズを登録しておき、送信側装置から前手順によって送信された画像ファイルの色空間情報がｓＹＣＣ色空間上のＪＰＥＧ符号化ファイルを示すものであれば（Ｓ３２）、受信した画像ファイルを、登録した記録サイズで記録する（Ｓ３８）。【選択図】  図４
2004229011.tif 000002
【特許請求の範囲】
【請求項１】
送信側装置と受信側装置との間においてカラー画像情報の通信を行う画像通信方法であって、前記受信側装置において、
前記送信側装置から送信される画像ファイルの色空間情報を受信する色空間情報受信工程と、
前記色空間情報に基づき、受信した画像ファイルの記録方法を決定する記録方法決定工程と、
該決定された記録方法によって、受信した画像ファイルを記録する記録工程と、
を有することを特徴とする画像通信方法。
【請求項２】
接続された相手側装置からカラー画像情報を受信する画像通信装置であって、
前記相手側装置から送信される画像ファイルの色空間情報を受信する色空間情報受信手段と、
前記色空間情報に基づき、受信した画像ファイルの記録方法を決定する記録方法決定手段と、
該決定された記録方法によって、受信した画像ファイルを記録する記録手段と、
を有することを特徴とする画像通信装置。
【発明の詳細な説明】
【０００１】
【発明の属する技術分野】
本発明は、カラー画像データを通信するための画像通信技術に関する。
【０００２】
【従来の技術】
従来のカラー情報を通信可能なファクシミリ装置においては、その規格がＩＴＵ−Ｔ勧告Ｔ．３０、Ｔ．４、Ｔ．８１、Ｔ．４２に基づいて決定されており、色空間Ｌａｂ上のカラー画像データを対象とした通信を行うものであった。
【０００３】
近年のデジタルカメラ等の普及により、デジタルスチルカメラで撮影した画像情報をそのままファクシミリプロトコルを使用して送信したいというニーズが高まりつつある。ここで通常、デジタルカメラにおいて使用される色空間はＬａｂでなく、ｓＹＣＣである。したがって、ｓＹＣＣ色空間上におけるカラー画像データのＪＰＥＧ符号化情報をそのままの形態で送信可能とするプロトコルが検討されている。
【０００４】
ここで、ｓＹＣＣ色空間によるＪＰＥＧフルカラー送信を考えた場合、基本的に送信対象となるのはカラー原稿情報ではなく、デジタルスチルカメラで撮影してコンパクトフラッシュ（登録商標）カードに格納されているファイル情報であることが多い。従って、カラー原稿情報についてはＬａｂ色空間で送信し、デジタルスチルカメラ等で撮影してコンパクトフラッシュ（登録商標）カードに格納されているファイル情報についてはｓＹＣＣ色空間で送信することが考えられる。
【０００５】
【発明が解決しようとする課題】
しかしながら、受信側装置においてｓＹＣＣ色空間によるＪＰＥＧ符号化ファイルを受信した場合、このファイル情報をコンパクトフラッシュ（登録商標）カードに格納することについてはなんら問題ないが、これを記録媒体上にプリントしようとした場合には、そのプリント方法については明確な規定がなかった。例えば、送信側装置からＪＰＥＧ符号化ファイルの画素数のみが指定され、その解像度及びプリントサイズ等については指定されていないような場合には、実際にどのようにプリントを行うかについては不定であった。
【０００６】
本発明は上述した課題を解決するためになされたものであり、受信した画像ファイルについて、その色空間に応じた記録方法によって画像記録を行うことを目的とする。
【０００７】
【課題を解決するための手段】
上記目的を達成するために、本発明は、送信側装置と受信側装置との間においてカラー画像情報の通信を行う際に、受信側装置において、送信側装置から送信される画像ファイルの色空間情報を受信し、該色空間情報に基づき、受信した画像ファイルの記録方法を決定し、該決定された記録方法によって、受信した画像ファイルを記録することを特徴とする。
【０００８】
【発明の実施の形態】
本発明は、送信側装置と受信側装置との間においてカラー画像情報の通信を行う際に、受信側装置において、送信側装置から送信される画像ファイルの色空間情報を受信し、該色空間情報に基づき、受信した画像ファイルの記録方法を決定し、該決定された記録方法によって、受信した画像ファイルを記録するものであり、所定の色空間上の画像ファイルについての記録方法（記録サイズ等）を登録しておき、色空間情報が所定の色空間を示す場合に、受信した画像ファイルの記録方法を該登録された記録方法に決定する。なお、所定の色空間はｓＹＣＣ色空間であり、色空間情報がこの所定の色空間を示さない場合には、受信した画像ファイルの記録方法を該受信ファイルに指定された記録方法に決定する。
【０００９】
なお、色空間情報は、Ｌａｂ色空間上のＪＰＥＧ符号化データを送信するか否かを示す情報と、Ｌａｂ色空間上のフルカラー情報を送信するか否かを示す情報と、ｓＹＣＣ色空間上のＪＰＥＧ符号化データを送信するか否かを示す情報と、を含み、これは前手順における送信側装置からのＤＣＳ信号のＦＩＦによって通知される。また、受信側装置は、前手順におけるＤＩＳ信号のＦＩＦによって、Ｌａｂ色空間上のＪＰＥＧ符号化データの受信機能の有無を示す情報と、Ｌａｂ色空間上のフルカラー情報の受信機能の有無を示す情報と、ｓＹＣＣ色空間上でのＪＰＥＧ符号化データの受信機能の有無を示す情報と、を送信側装置へ通知する。
【００１０】
また、受信した画像ファイルが予め登録された記録方法によって記録される場合には、その旨を示す情報を付加して記録する。
【００１１】
このような本発明は、具体的に願書に添付する図面に示す構成及び処理において、以下の実施形態と対応して実現できる。
【００１２】
以下、本発明に係る一実施形態について、図面を参照して詳細に説明する。
【００１３】
＜第１実施形態＞
●装置構成
図１は、本実施形態を適用するファクシミリ装置の構成を示すブロック図である。同図において、２はＮＣＵ（網制御装置）であり、電話網をデータ通信等に使用するためにその回線の端末に接続して、電話交換網の接続制御やデータ通信路への切り換え、ループの保持を行う。ＮＣＵ２はまた、バス２６からの制御により、電話回線２ａを電話機４側の回線２ｂに接続（ＣＭＬオフ）したり、ファクシミリ装置側の回線２ｃに接続（ＣＭＬオン）したりする。なお、電話回線２ａは通常状態では電話機４側に接続されている。
【００１４】
６はハイブリッド回路であり、送信系の信号と受信系の信号とを分離し、加算回路１２からの送信信号をＮＣＵ２経由で電話回線２ａに送出する。また、相手側からの信号をＮＣＵ２経由で受け取り、信号線６ａ経由で変復調器８に送る。
【００１５】
８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う。変復調器８には、バス２６の制御により各伝送モードが指定され、バス２６からの送信信号を入力して変調データを信号線８ａに出力したり、信号線６ａからの受信信号を入力して復調データをバス２６に出力したりする。
【００１６】
１０は発呼回路であり、バス２６からの信号により電話番号情報を入力し、信号線１０ａにＤＴＭＦの選択信号を出力する。１２は加算回路であり、信号線８ａからの情報と信号線１０ａからの情報を入力し、それらの加算結果を信号線１２ａに出力する。
【００１７】
１４はカラー画像を読み取り可能な読取回路であり、読み取ったカラー画像データをバス２６に出力する。１６はカラー画像を記録可能な記録回路であり、バス２６に出力されている情報を１ライン毎に順次記録する。
【００１８】
１８はワーク用のメモリ回路（ＲＡＭ）であり、読み取りデータの生情報または符号化した情報を格納したり、また、受信情報または復号化した情報をバス２６を介して格納する。またメモリ１８においては、ｓＹＣＣ色空間でのＪＰＥＧ符号化データ受信時における記録サイズ（例えば、Ａ６サイズ等）を、特定サイズとして登録することができる。
【００１９】
２０は操作部であり、ワンタッチダイヤル、短縮ダイヤル、テンキー、＊キー、＃キー、スタートキー、ストップキー、セットキー、ダイレクト送信選択キー、ファイル情報の送信選択キー、カラー情報送信選択キー、その他のファンクションキーを備えており、押下されたキー情報はバス２６に出力される。また、操作部２０は表示部を有し、バス２６に出力されている情報を入力して表示する。
【００２０】
２２はＣＰＵ（中央処理装置）であり、ファクシミリ装置全体の制御や、ファクシミリ伝送制御手順を実行するが、その制御プログラムはＲＯＭ２４に格納されている。２８はカードインターフェイスであり、カード３０（例えば、デジタルカメラで撮影した情報が記憶されているコンパクトフラッシュ（登録商標）カード）がセットされる。
【００２１】
●通信制御信号
下表は、本実施形態においてＩＴＵ−Ｔ勧告Ｔ．３０の制御手順情報（ＤＩＳ／ＤＴＣ信号，ＤＣＳ信号）に追加する、カラー関連のビット情報（ＦＩＦのビット情報）を示す。
【００２２】
2004229011.tif 000003
この表によれば、ＤＩＳ／ＤＴＣ信号におけるＦＩＦの第６８ビットにより、Ｌａｂ色空間上のＪＰＥＧ符号化データの受信機能の有無を通知し、ＤＣＳ信号におけるＦＩＦの６８ビットにより、Ｌａｂ色空間上のＪＰＥＧ符号化データによる送信を指定をする。
【００２３】
また、ＤＩＳ／ＤＴＣ信号におけるＦＩＦの第６９ビットにより、Ｌａｂ色空間上のフルカラー受信機能の有無を通知し、ＤＣＳ信号におけるＦＩＦの第６９ビットにより、Ｌａｂ色空間上のフルカラー送信を指定をする。
【００２４】
また、ＤＩＳ／ＤＴＣ信号におけるＦＩＦの第Ｘビットにより、ｓＹＣＣ色空間上のＪＰＥＧ符号化データの受信機能の有無を通知し、ＤＣＳ信号におけるＦＩＦの第Ｘビットにより、ｓＹＣＣ色空間上のＪＰＥＧ符号化データによる送信を指定をする。
【００２５】
なお、図１に示すファクシミリ装置内のＲＯＭ２４には、本実施形態における特徴的な受信処理を制御する制御プログラムが格納されている。以下、この制御プログラムによる受信処理について、図２乃至図４のフローチャートを参照して、詳細に説明する。
【００２６】
●受信制御説明
まず、図２のステップＳ２においてバス２６を介してメモリ１８をイニシャライズした後、ステップＳ４において、バス２６を介して操作部２０における表示をクリアし、ステップＳ６でバス２６を介してＮＣＵ２のＣＭＬをオフする、すなわち電話回線２ａを電話機４側に接続する。
【００２７】
そしてステップＳ８において操作部２０による入力情報に基づいて、ｓＹＣＣ色空間上のＪＰＥＧ符号化データ受信時における、プリント時の記録サイズ登録が選択されたか否かを判断し、選択されていればステップＳ１０に進み、選択されていなければステップＳ１２に進む。ステップＳ１０では、ｓＹＣＣ色空間上のＪＰＥＧ符号化データ受信時におけるプリントサイズとして、特定サイズをバス２６を介してメモリ１８に記憶する。この特定サイズは操作部２０からの入力情報として得られ、例えばＡ６サイズ等が登録される。
【００２８】
ステップＳ１２では、ファクシミリ受信が選択されたか否かを判断し、選択されていればステップＳ１６に進み、選択されていなければステップＳ１４に進んでその他の処理を実行した後、ステップＳ６に戻る。
【００２９】
ステップＳ１６では、バス２６を介してＮＣＵ２のＣＭＬをオンとする、すなわち電話回線２ａをファクシミリ装置側に接続する。そして図３のステップＳ１８において通信の前手順を行うが、このとき、ＤＩＳ信号におけるＦＩＦの６８，６９，Ｘビットを全て１にセットすることによって、Ｌａｂ色空間によるＪＰＥＧ符号化フルカラーデータ、及びｓＹＣＣ色空間によるＪＰＥＧ符号化データを受信可能である旨を、送信側装置へ通知する。
【００３０】
●Ｌａｂ色空間によるデータ受信
そしてステップＳ２０において、前手順により送信側装置から通知されたＤＣＳ信号におけるＦＩＦの６８，６９ビットがともに１であるか否か、すなわち、Ｌａｂ色空間におけるＪＰＥＧ符号化フルカラーデータの送信が指定されているか否かを判断し、ともに１であればステップＳ２２に進むが、少なくともいずれかが１でなければステップＳ２６に進む。
【００３１】
ステップＳ２２ではＬａｂ色空間でのＪＰＥＧ符号化フルカラーデータを受信し、これを先のＤＣＳ信号により指定されたサイズ及び解像度でプリントし、ステップＳ２４で後手順を行ってステップＳ６へ戻る。
【００３２】
一方、ステップＳ２６ではＤＣＳ信号におけるＦＩＦの６８ビットが１であるか否かが判断され、これが１であればすなわち、Ｌａｂ色空間におけるＪＰＥＧ符号化グレイスケールデータの送信が指定されていると判断され、ステップＳ２８に進む。ステップＳ２８では、Ｌａｂ色空間でのＪＰＥＧ符号化グレイスケールデータを受信し、これを先のＤＣＳ信号により指定されたサイズ及び解像度でプリントし、ステップＳ３０で後手順を行ってステップＳ６へ戻る。
【００３３】
●ｓＹＣＣ色空間によるデータ受信
一方、ステップＳ２６においてＤＣＳ信号におけるＦＩＦの６８ビットが１でなければ図４のステップＳ３２に進み、ＤＣＳ信号のＦＩＦのＸビットが１であるか否か、すなわちｓＹＣＣ色空間におけるＪＰＥＧ符号化データの送信が指定されているか否かを判断し、１であればステップＳ３８に進むが、１でなければ本機では受信解析不可能であるとしてステップＳ３４に進み、モノクロ２値情報としての受信、及びＤＣＳ信号によって指定されたサイズ及び解像度によるプリント処理を行った後、ステップＳ３６で後手順を行ってステップＳ６へ戻る。
【００３４】
ステップＳ３８では、ｓＹＣＣ色空間上のＪＰＥＧ符号化データを受信し、これをメモリ１８に登録されている特定サイズで、記録回路１６によりプリントする。ここで、例えば特定サイズがＡ６サイズであれば、Ａ４サイズの記録紙上に４ｉｎ１形式でのプリントを行うように、受信データを変倍する。なおこのとき、特定サイズの記録を行った旨を示すメッセージまたは特定マーク等を付加して、プリントする。そしてステップＳ４０で後手順を実行した後、ステップＳ６へ戻る。
【００３５】
以上説明したように本実施形態によれば、ｓＹＣＣ色空間上のＪＰＥＧフルカラーデータを受信した際に、送信側装置から解像度及びプリントサイズの指定はなく、画素数のみが指定されていた場合であっても、ユーザが予め設定した特定サイズによるプリントを行うことが可能となった。
【００３６】
また、特定サイズによるプリントである旨を明記することにより、ユーザによる認識が容易となり、操作性が向上する。
【００３７】
＜他の実施形態＞
なお、本発明は、例えばシステム、装置、方法、プログラムもしくは記憶媒体等としての実施態様をとることが可能であり、具体的には、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【００３８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００３９】
この場合、記憶媒体から読み出されたプログラムコード自体が前述した実施形態の機能を実現することになり、そのプログラムコードを記憶した記憶媒体は本発明を構成することになる。
【００４０】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００４１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００４２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４３】
【発明の効果】
以上説明したように本発明によれば、受信した画像ファイルについて、その色空間に応じた記録方法によって画像記録を行うことができる。
【図面の簡単な説明】
【図１】本発明に係る一実施形態が適用されるファクシミリ装置の構成を示すブロック図である。
【図２】本実施形態における受信処理を示すフローチャートである。
【図３】本実施形態における受信処理を示すフローチャートである。
【図４】本実施形態における受信処理を示すフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2004229011.tif 000004
【図２】
2004229011.tif 000005
【図３】
2004229011.tif 000006
【図４】
2004229011.tif 000007